(57)【要約】      （修正有）【課題】日付表現をアナログ時計と共通化し視認性を高めるカレンダーを提供する。【解決手段】アナログ時計の様にディスプレイ中央に１個または２個の針または回転板を配置し、針または回転板の傾斜角度により現在の月、日を把握する。針または回転板はその単位により「月」であれば一年で一周、「日」であれば一月で一周、「週」であれば一週間で一周する。「日」については月により２８〜３１日と変化があるので、電波時計の電波信号またはＧＰＳ信号により通算日付情報を入手し、現在月を計算し一月の日数を求め、前後の誤差なく一月で一周する仕組みとする。ディスプレイには月の日の数字を表記し、何月何日なのか、明瞭にする。【選択図】図１
2019012081.tif 000002
【特許請求の範囲】
【請求項１】
装置表面に配置されたディスプレイの中央に、ディスプレイの中央を軸としてディスプレイ平面上を１年で１周し、現在の月日を表示する針または回転板を配置し、針または回転板の示す回転角度とディスプレイに表示された目盛りを用いて、閲覧者が現在月と現在日とを把握することを特徴とするカレンダー。
【請求項２】
装置表面に配置されたディスプレイの中央に、ディスプレイの中央を軸としてディスプレイ平面上を１年で１周し、現在の月を表示する針または回転板と、ディスプレイの中央を軸としてディスプレイ平面上を１月で１周し、現在の日を表示する針または回転板とを配置し、針または回転板の示す回転角度とディスプレイに表示された目盛りを用いて、閲覧者が現在月と現在日とを把握することを特徴とするカレンダー。
【請求項３】
１個の針または回転板の場合、１年で１周する針または回転板と、針または回転板を回転させるモーターと、針または回転板の回転角度を把握するセンサーと、１年の日数を表示するディスプレイと現在時刻を取得する電波受信装置と、それらを接続し制御する制御モジュールとを有する事を特徴とする請求項１記載のカレンダー。
【請求項４】
２個の針または回転板の場合、１年で１周する針または回転板と、針または回転板を回転させるモーターと、針または回転板の回転角度を把握するセンサーと、１月で１周する針または回転板と、針または回転板を回転させるモーターと、針または回転板の回転角度を把握するセンサーと、当月の日数を表示するディスプレイと現在時刻を取得する電波受信装置と、それらを接続し制御する制御モジュールとを有する事を特徴とする請求項２記載のカレンダー。
【発明の詳細な説明】
【技術分野】
【０００１】
本発明は、アナログ表示式カレンダーに関するものである。
【背景技術】
【０００２】
現在普及している卓上または壁掛けカレンダーは日付の数字が４または５段に並び、視覚的に現在１年のどのあたりなのか、今月のどのあたりなのかを把握しにくい。従来アナログ時計にカレンダー機能が加えられたものが特許文献にあるが、特許文献のものについては日数の表示が３１で固定されており、月間日数が３０日以下の月においては翌月頭に針を１へ回送している為、角度を見て現在日を把握する事ができない。
【先行技術文献】
【特許文献】
【０００３】
【特許文献１】実開平３−１２１８６号広報
【発明の概要】
【発明が解決しようとする課題】
【０００４】
卓上または壁掛けアナログ時計については針の角度により現在の時刻が一日の中でどの程度進んでいるのかを一目で確認することができるが、卓上または壁掛けカレンダーに於いては。視覚的に現在１年のどのあたりなのか、今月のどのあたりなのかを把握しにくい。特許文献のものは現在日を角度で知る事ができず、アナログ時計の視認性の良さをカレンダーに応用する。
【課題を解決するための手段】
【０００５】
針または回転板が１個の場合、針または回転板はディスプレイの中央を軸としてディスプレイ平面上を１年で１周し、ディスプレイは針または回転板の回転する円周に沿って目盛りとなる１年の月と日を表示し、閲覧者は針または回転板の示す位置と、ディスプレイに表示された目盛りを用いて現在月と現在日を把握する。
【０００６】
針または回転板が２個の場合、針または回転板はディスプレイの中央を軸としてディスプレイ平面上を１年で１周するものと、ディスプレイの中央を軸としてディスプレイ平面上を１月で１周するものとを配置し、ディスプレイは２個の針または回転板の回転する円周に沿って目盛りとなる１年の月と１月の日を表示し、閲覧者は２個の針または回転板の示す位置と、ディスプレイに表示された２種類の目盛りを用いて現在月と現在日を把握する。
【０００７】
針または回転板が１個の場合、電源を取得すると、制御装置は電波受信装置を起動し、電波時計信号を受信させる。続いて一年で１周する針または回転板（以下月針と称する）を動作させるモーター（以下月モーターと称する）を起動させ、月針の位置を把握するセンサー（以下月センサーと称する）が反応するまで月針を回転させる。月センサーが反応すると、制御装置は月モーターを停止させ、月針の回転を停止させる。
【０００８】
針または回転板が１個の場合、制御装置は電波受信装置から受信したデータを解析し、現在月日と現在時刻を把握する。現在月日と現在時刻の取得に成功した場合、現在月の日数を計算し、ディスプレイ装置を起動し、当月の日数に対応した目盛りを表示させる。その後針または回転板の回転角度を計算し、その角度まで月モーターをそれぞれ動作させて月針を回転させ、現在月日を表示させる。制御装置が現在時刻の取得に失敗した場合は再度電波受信装置から受信させる。
【０００９】
針または回転板が２個の場合、電源を取得すると、制御装置は電波受信装置を起動し、電波時計信号を受信させる。続いて一年で１周する針または回転板（以下月針と称する）を動作させるモーター（以下月モーターと称する）と一月で１周する針または回転板（以下日針と称する）を動作させるモーター（以下日モーターと称する）を起動させ、月針の位置を把握するセンサー（以下月センサーと称する）と日針の位置を把握するセンサー（以下日センサーと称する）が反応するまで月針と日針とをそれぞれ回転させる。月センサーと日センサーがそれぞれ反応すると、制御装置は月モーターと日モーターとをそれぞれ停止させ、月針と日針の回転をそれぞれ停止させる。
【００１０】
針または回転板が２個の場合、制御装置は電波受信装置から受信したデータを解析し、現在月日と現在時刻を把握する。現在月日と現在時刻の取得に成功した場合、現在月の日数を計算し、ディスプレイ装置を起動し、当月の日数に対応した目盛りを表示させる。その後月針と日針の回転角度を計算し、その角度まで月モーターと日モーターをそれぞれ動作させて月針と日針とを回転させ、現在月日を表示させる。制御装置が現在時刻の取得に失敗した場合は再度電波受信装置から受信させる。
【発明の効果】
【００１１】
上述の様にアナログ時計と同じ感覚で現在の月、日を把握できる他、一年の中で今日がどの位置なのかを把握する事ができ、一年を周期とする仕事や作業のスケジュールを知る道具としても役立つ事が期待できる。
【００１２】
針または回転板が２個あるものについては、月日の表示を大きくする事で視認性を良くする事ができ、また、一月の中の現在日の位置を把握する事ができ、一月を周期とする仕事や作業のスケジュールを知る道具としても役立つ事が期待できる。
【図面の簡単な説明】
【００１３】
【図１】本発明の実施例の内、針を１個配置する場合の正面図である。
【図２】本発明の実施例の内、回転板を１個配置する場合の正面図である。
【図３】本発明の実施例の内、針を２個配置する場合の正面図である。
【図４】本発明の実施例の内、回転板を２個配置する場合の正面図である。
【図５】本発明の実施例の内、月を示す針を１個と日を示す回転板を１個配置する場合の正面図である。
【図６】本発明の実施例の内、月を示す回転板を１個と日を示す針を１個配置する場合の正面図である。
【図７】本発明の実施例の裏面図である。
【図８】図１の構成を示すブロック図である。
【図９】図２の制御装置の制御内容を示すフロー図である。
【発明を実施するための形態】
【００１４】
以下、本発明のカレンダーにおけるいくつかの実施例について図面を参照して説明する。なお、同一構成及び機能を有する構成要素については、同一番号を付してその説明を省略する。
【００１５】
図１〜図８を参照して、本発明の本実施例にかかるカレンダーについて説明する。装置表面１に配置されたディスプレイ２の中央１４上に、現在月を表示する月針６と日を表示する日針８をディスプレイ２の中央１４を中心としてディスプレイ２上を回転する様に配置し、ディスプレイ２は月針６の回転する円周に沿って「１」から「１２」までの目盛り３と、日針８の回転する円周に沿って、現在月の日数が２８日の場合は「１」から「２８」まで、現在月の日数が２９日の場合は「１」から「２９」まで、現在月の日数が３０日の場合は「１」から「３０」まで、現在月の日数が３１日の場合は「１」から「３１」までの目盛り４を表示する。ディスプレイ２は表示する日数の切り替えができない場合、複数の目盛りを表示し、月の大小表示５を用いて使用者が目盛りの読み替えを楽にできる様に表示する。
【００１６】
１個の針の場合、ディスプレイ２の中央１４上に、ディスプレイ２の中央１４を中心として１年で１回転する月針６と、月針６を回転させる月モーターと、月針６の回転角度を把握する月センサー１２と、月針６の回転する円周に沿って目盛り３を表示するディスプレイ２と、現在時刻を取得する電波受信装置１１と、それらを接続し制御する制御モジュールを配置する。
【００１７】
１個の回転板の場合、ディスプレイ２の中央１４上に、ディスプレイ２の中央１４を中心として１年で１回転する月回転板７と、月回転板７を回転させる月モーターと、月回転板７の回転角度を把握する月センサー１２と、月回転板７の回転する円周に沿って目盛り３を表示するディスプレイ２と、現在時刻を取得する電波受信装置１１と、それらを接続し制御する制御モジュール１０を配置する。
【００１８】
２個の針の場合、ディスプレイ２の中央１４上に、ディスプレイ２の中央１４を中心として１年で１回転する月針６と、月針６を回転させる月モーターと、月針６の回転角度を把握する月センサー１２と、月針６の回転する円周に沿って目盛り３を表示したディスプレイ２と、ディスプレイ２の中央１４を中心として１月で１回転する日針８と、日針８を回転させる日モーターと、日針８の回転角度を把握する日センサー１３と、日針８の回転する円周に沿って目盛り４を表示するディスプレイ２と、現在時刻を取得する電波受信装置１１と、それらを接続し制御する制御モジュール１０を配置する。
【００１９】
２個の回転板の場合、ディスプレイ２の中央１４上に、ディスプレイ２の中央１４を中心として１年で１回転する月回転板７と、月回転板７を回転させる月モーターと、月回転板７の回転角度を把握する月センサー１２と、月回転板７の回転する円周に沿って目盛り３を表示したディスプレイ２と、ディスプレイ２の中央１４を中心として１月で１回転する日回転板９と、日回転板９を回転させる日モーターと、日回転板９の回転角度を把握する日センサー１３と、日回転板９の回転する円周に沿って目盛り４を表示するディスプレイ２と、現在時刻を取得する電波受信装置１１と、それらを接続し制御する制御モジュール１０を配置する。
【００２０】
月を表示する回転板と、日を表示する針の場合、ディスプレイ２の中央１４上に、ディスプレイ２の中央１４を中心として１年で１回転する月回転板７と、月回転板７を回転させる月モーターと、月回転板７の回転角度を把握する月センサー１２と、ディスプレイ２の中央１４上に、ディスプレイ２の中央１４を中心として１月で１周する日針８と、日針８を回転させる日モーターと、日針８の回転角度を把握する日センサー１３と、目盛り４を表示するディスプレイと現在時刻を取得する電波受信装置１１と、それらを接続し制御する制御モジュール１０を配置する。
【００２１】
月を表示する針と、日を表示する回転板の場合、ディスプレイ２の中央１４上に、ディスプレイ２の中央１４を中心として１年で１回転する月針６と、月針６を回転させる月モーターと、月針６の回転角度を把握する月センサー１２と、ディスプレイ２の中央１４上に、ディスプレイ２の中央１４を中心として１月で１周する日回転板９と、日回転板９を回転させる日モーターと、日回転板９の回転角度を把握する日センサー１３と、目盛り４を表示するディスプレイと現在時刻を取得する電波受信装置１１と、それらを接続し制御する制御モジュール１０を配置する。
【００２２】
図９を参照して、本発明の本実施例にかかるカレンダーの動作について説明する。電源を取得すると、制御装置は電波受信装置を起動し、電波時計信号を受信させる。続いて１個または２個の針または回転板を動作させる月モーター，日モーターを起動させ、月センサー，日センサーが反応するまでそれぞれ回転させる。月センサー，日センサーがそれぞれ反応し、１個または２個の針または回転板が基準位置になると、制御装置はそれぞれのモーターを停止させ、回転を停止させる。制御装置は電波受信装置から受信したデータを解析し、現在時刻を把握する。現在時刻の取得に成功した場合、現在月の日数を計算し、ディスプレイ装置を起動し、当月の日数に対応した目盛りを表示させる。その後針または回転板の表示回転角度を計算し、その角度まで月モーター，日モーターをそれぞれ動作させ、針または回転板を回転させ、現在月日を表示させる。制御装置が現在時刻の取得に失敗した場合は再度電波受信装置から受信させる。
【符号の説明】
【００２３】
１    カレンダー
２    ディスプレイ
３    月目盛り
４    日目盛り
５    月の大小表示
６    月針
７    月回転板
８    日針
９    日回転板
１０    制御装置、モーター部及び電源部
１１    電波受信部
１２    月センサー
１３    日センサー
１４    デイスプレイ中央部分
【図１】
2019012081.tif 000003
【図２】
2019012081.tif 000004
【図３】
2019012081.tif 000005
【図４】
2019012081.tif 000006
【図５】
2019012081.tif 000007
【図６】
2019012081.tif 000008
【図７】
2019012081.tif 000009
【図８】
2019012081.tif 000010
【図９】
2019012081.tif 000011